(57)【要約】      （修正有）【課題】装置構成をコンパクトにしやすい眼科装置を提供する。【解決手段】眼科測定装置の投光光学系は、光源と、ポリゴンミラーと、が一定の位置関係にて配置される走査ユニットを有し、ポリゴンミラーを用いて眼底で測定光を走査する。また、眼科測定装置の受光光学系は、角膜と共役な位置において受光素子３７ａ〜３７ｒが配置された受光ユニット３７を持ち、眼底で反射される測定光を受光素子３７ａ〜３７ｒを用いて受光する。更に、眼科測定装置の制御部は、測定光の走査方向に応じた経線方向における角膜部位での被検眼の屈折力を、各々の角膜部位と対応する，受光素子３７ａ〜３７ｒからの位相差信号出力に基づいて得る。更に、制御部は、ポリゴンミラーと、駆動部とを組み合わせて駆動することで測定光の走査を制御し、複数の経線方向における角膜部位での被検眼の屈折力分布を得る。【選択図】図２
2016140390.tif 000002
【特許請求の範囲】
【請求項１】
光源から出射される測定光を被検眼に投影すると共に、前記測定光を用いて被検眼の眼底を走査する投影光学系と、
被検眼角膜と共役な位置において受光素子が配置された受光ユニットを持ち、前記被検眼の眼底で反射される測定光を前記受光素子を用いて受光するための受光光学系と、
前記測定光の走査方向に応じた経線方向における角膜部位での被検眼の屈折力を、各々の角膜部位と対応する，前記受光素子からの位相差信号出力に基づいて得る演算制御手段と、を備える眼科測定装置であって、
前記投影光学系は、
前記光源と、前記光源から出射される測定光を偏向させて前記測定光の進行方向を変化させる光スキャナーと、が一定の位置関係にて配置される走査ユニットと、
前記走査ユニットを、前記投影光学系における測定光軸の周りに回転させる駆動部と、を備えており、
前記演算制御手段は、前記光スキャナーと前記駆動部とを組み合わせて駆動することによって、測定光の走査を制御し、複数の経線方向における角膜部位での被検眼の屈折力分布を得ることを特徴とする眼科測定装置。
【請求項２】
前記演算制御手段は、前記屈折力分布を得る場合において、前記測定光軸を中心に前記走査ユニットを所定の角度ステップで駆動すると共に、各ステップ位置にて前記光スキャナーによって、少なくとも１周期分の光走査を行うことを特徴とする請求項１記載の眼科測定装置。
【請求項３】
前記受光ユニットを、前記受光光学系の受光光軸を中心に回転させるための第２駆動部を有し、
前記演算制御手段は、前記測定光軸に対する前記走査ユニットの回転と、前記受光光軸に対する前記受光素子の回転とが同期するように、前記駆動部および前記第２駆動部を制御することを特徴とする請求項１又は２に記載の眼科測定装置。
【請求項４】
前記演算制御手段は、前記受光ユニットにおける異なる２つの受光素子からの位相差信号出力を、各受光素子の信号出力波形において強度ピークに対し所定割合の強度を示す２点間の中点同士の位相差に応じた信号出力として検出することを特徴とする請求項１から３の何れかに記載の眼科測定装置。
【請求項５】
前記演算制御手段は、受光光学系の光軸上に配置される絞りの位置を第１の位置に配置して位相差出力を得た後、第１の位置とは異なる第２の位置に絞りを配置して位相差出力を得、前記第１の位置と前記第２の位置との位相差出力の変化に基づいて、眼屈折力の値を定めることを特徴とする請求項１から４のいずれかに記載の眼科測定装置。
【発明の詳細な説明】
【技術分野】
【０００１】
本開示は、被検者眼の屈折分布を測定する眼科測定装置に関する。
【背景技術】
【０００２】
従来、被検眼の広い範囲にわたる眼屈折分布（波面収差を含む）を測定する装置が知られている。このような装置として、スリット光束で被検眼眼底を走査すると共に、眼底で反射されたスリット光束を角膜と略共役な位置に配置した複数の受光素子を用いて受光し、各受光素子の位相差信号に基づいて経線方向で変化する被検眼の屈折力を得る装置が知られている。
【０００３】
特許文献１には、スリット光束を走査するために、複数のスリットが形成された円筒状の回転セクターが、測定光源を囲むように設けられた装置が開示されている。この装置の回転セクターは、円筒の中心軸が測定光軸と直交するように配置されている。眼屈折分布を測定する場合、回転セクターは、円筒の中心軸周りに回転すると共に、測定光軸周りにも回転することで、各経線方向にスリット光束が走査される。
【先行技術文献】
【特許文献】
【０００４】
【特許文献１】特開平１０−１０８８３７号公報
【発明の概要】
【発明が解決しようとする課題】
【０００５】
例えば、特許文献１記載の装置では、測定光源を囲む大きさの回転セクターが必要となり、また、回転セクターを測定光軸周りに回転させるため、筐体内において回転セクターおよびその駆動機構を含むユニットのために大きなスペースが必要であった。その結果、装置のコンパクト化が難しかった。また、眼屈折分布測定とは異なる測定を行うための光学系を、同一筐体内に設けることへの妨げとなっていた。
【０００６】
本開示は、従来技術の問題点に鑑みてなされたものであり、装置構成をコンパクトにしやすい眼科測定装置を提供することを技術課題とする。
【課題を解決するための手段】
【０００７】
本開示の第１態様に係る眼科測定装置は、光源から出射される測定光を被検眼に投影すると共に、前記測定光を用いて被検眼の眼底を走査する投影光学系と、被検眼角膜と共役な位置において、光軸に対して対称に配置される２対以上の受光素子が配置された受光ユニットを持ち、前記被検眼の眼底で反射される測定光を前記受光素子を用いて受光するための受光光学系と、前記測定光の走査方向に応じた経線方向における角膜部位での被検眼の屈折力を、各々の角膜部位と対応する，前記受光素子からの位相差信号出力に基づいて得る演算制御手段と、を備える眼科測定装置であって、前記投影光学系は、前記光源と、前記光源から出射される測定光を偏向させて前記測定光の進行方向を変化させる光スキャナーと、が一定の位置関係にて配置される走査ユニットと、前記走査ユニットを、前記投影光学系における測定光軸の周りに回転させる駆動部と、を備えており、前記演算制御手段は、前記光スキャナーと前記駆動部とを組み合わせて駆動することによって、測定光の走査を制御し、複数の経線方向における角膜部位での被検眼の屈折力分布を得る。
【発明の効果】
【０００８】
本開示によれば、装置構成をコンパクトに構成しやすい。
【図面の簡単な説明】
【０００９】
【図１】本実施形態の眼科測定装置における光学系の概要を示した図である。
【図２】受光ユニットの構成を示した図である。
【図３】本実施形態の眼科測定装置における電気的構成の概要を示した図である。
【図４】第２の回転軸に対してポリゴンミラーを回転させた場合における各受光素子からの出力信号強度を示した図である。
【図５】絞りの位置を変化させた場合における位相差信号出力を示すための図である。
【発明を実施するための形態】
【００１０】
以下、図面を参照しつつ、本開示における典型的な実施形態を説明する。図１に、実施形態に係る眼科測定装置１の概略構成を示す。眼科測定装置１は、眼屈折力分布を解析するために用いられる。また、本実施形態では、詳細な角膜形状の分布を解析するためにも用いられる。
【００１１】
＜光学系の説明＞
初めに、眼科測定装置１の光学系について説明する。眼科測定装置１は、眼屈折力分布を測定するための光学系（眼屈折力分布測定光学系）として、投影光学系２０と、受光光学系３０と、を備える。
【００１２】
投影光学系２０は、光源２１ａからの測定光を、被検眼Ｅに対して投影（投光）する。この場合において、投影光学系２０は、測定光を用いて被検眼Ｅの眼底を走査する。本実施形態において、投影光学系２０は、走査ユニット２１、投光レンズ２３、および、ビームスプリッタ２４を備える。
【００１３】
走査ユニット２１は、光源２１ａと、ポリゴンミラー２１ｂ（本実施形態における光スキャナー）と、が少なくとも配置されるユニットである。ポリゴンミラー２１ｂは、光源２１ａから出射される測定光を反射させて、測定光の進行方向を変化させる。ポリゴンミラー２１ｂは、駆動機構２１ｃ（例えば、モーターなど。図２参照）が駆動されることで回転し、測定光を一方向（本実施形態では、ポリゴンミラー２１ｂの回転方向）に走査する。また、本実施形態において、走査ユニット２１は、駆動機構２２が駆動することによって、測定光軸Ｌ１を中心に回転される。この場合において、光源２１ａとポリゴンミラー２１ｂとの相対的な位置関係は、走査ユニット２１が回転しても維持される。
【００１４】
図１に示すように、光源２１ａから出射された測定光は、走査ユニット２１を経て、投光レンズ２３およびビームスプリッタ２４を通過して、被検眼Ｅに照射される。図１において、被検眼Ｅとビームスプリッタ２４との間には、ビームスプリッタ５１（詳細は後述する）が配置されている。本実施形態では、ビームスプリッタ５１によって、測定光の投受光は、妨げられないものとする。
【００１５】
受光光学系３０は、被検眼の眼底で反射された測定光を受光する受光ユニット３７を有する。その他、受光光学系３０は、検出レンズ３１、第１絞り３２、ミラー３３、第２絞り３４、第３絞り３４、およびフィルタ３６を備える。これらの各部材は、ビームスプリッタ―２４の反射側に配置される。このように構成された受光光学系３０において、眼底で反射された測定光は、ビームスプリッター２４で反射されることによって、検出レンズ３１に導かれる。そして、測定光は、ミラー３３で反射されると共に、絞り３２，３４，３５のうちのいずれか１つと、フィルタ３６とを介して、受光ユニット３７へ照射される。
【００１６】
絞り３２，３４，３５は、被検眼眼底で反射された測定光から位相に応じた信号を得るために利用される。また、絞り３２，３４，３５は、測定光の光路中に配置される結果として、位相差信号のノイズとなる光を除去する。本実施形態では、絞り３２，３４，３５のうち、いずれか１つが測定光の受光光路に挿入されて、測定に使用される。それぞれの絞り３２，３４，３５を移動させるための駆動機構３２ａ，３４ａ，３５ａ（図６参照）が、制御部７０によって制御されることで、受光光路における絞りの位置が切換えられる。この場合において、第２絞り３４は、正視眼（視度の誤差がＯＤの眼）における眼底共役位置に配置される。また、第１絞り３２は、近視眼（例えば、視度の誤差がマイナス６Ｄの眼）における眼底共役位置に配置され、第３絞り３５は、遠視眼（例えば、視度の誤差がプラス７Ｄの眼）における眼底共役位置に配置される。なお、絞りの位置を切換える構成としては、上記構成に限定されるものではない。例えば、絞りを、受光光軸に沿って変位させる機構を用いて、絞りの位置を切換えてもよい。なお、本開示において、「共役」は、必ずしも完全な共役関係に限定されるものではない。本開示において、「共役」な関係は、完全な共役関係のほか、許容される精度の範囲で完全な共役関係からずれた位置関係であってもよい。また、フィルタ３６は、測定光を透過し、それ以外の光を遮光する特性を持つ。
【００１７】
図５を参照して、受光ユニット３７の詳細構成について説明する。図５に示す受光ユニット３７は、複数（図５では、一例として、１０個）の受光素子３７ａ〜３７ｒを備える。各受光素子３７ａ〜３７ｒは、検出レンズ３１、絞り３２，３４，３５に関し、被検眼Ｅの角膜と共役な位置に配置される。（なお、例えば、各受光素子３７ａ〜３７ｒと厳密に共役関係にある位置は、例えば、角膜頂点からおよそ４ｍｍ程度まで眼底側にシフトしていたとしても許容され得る）。図５に示すように、光素子３７ａ〜３７ｐは、受光光学系３０の光軸Ｌ２（以下、受光光軸Ｌ２と称す）と交差する１つの直線上に配置される。図５の例では、受光素子３７ａと３７ｉ、受光素子３７ｂと３７ｊ、・・・（中略）・・・、受光素子３７ｈと３７ｐは、それぞれ対を成すように、受光光軸Ｌ２に対してそれぞれ対称に配置されている。８対の受光素子は、角膜の経線方向で異なる部位の屈折力を得られるようにその配置距離が設定されている。一方、受光素子３７ｑと３７ｒとは、受光素子３７ａ〜３７ｐの配置方向と直交して配置されるように、受光光軸Ｌ２を挟んで配置されている。また、受光ユニット３７は、駆動機構３８（例えば、モーター等、図２参照）が駆動することによって、受光光軸Ｌ２と同軸に設定された回転軸（第３の回転軸）を中心に回転する。受光ユニット３７は、走査ユニット２１における投光光軸Ｌ１を回転軸（第１の回転軸）とする回転運動と同期して（つまり、角度の変位量を同じくして）回転可能である。
【００１８】
また、眼科測定装置１は、角膜形状を測定するため光学系（つまり、角膜形状測定光学系）として、プラチドリング投影光学系４０（以下、投影光学系４０と省略する）と、撮像光学系５０と、を備える。投影光学系４０は、同心円状に形成された複数の円環形状の指標像を、被検眼の角膜に投影する。本実施形態では、一例として、投影光学系４０は、プラチド板４１と、可視光源４２と、反射板４３と、を備える。プラチド板４１には、多数の円環状の指標が、同心円状に形成されている。また、可視光源４２は、プラチド板４１を背後から照明する。撮像光学系５０は、被検眼の角膜で反射された指標像を撮像する撮像素子５４（例えば、ＣＣＤカメラ等）を、主に備える。本実施形態において、撮像光学系５０は、撮像素子５４の他、ビームスプリッタ５１、５２、および、撮影レンズ５３を備える。なお、本実施形態において、撮像光学系５０を用いて前眼部の観察又は撮影を行うことができる。即ち、撮像光学系５０は、前眼部撮像光学系として兼用され得る。
【００１９】
また、眼科測定装置１は、固視光学系６０を備える。固視光学系６０は、可視光源６１と、固視標６２と、レンズ６３とを備える。レンズ６３は、駆動機構６３ａ（図３参照）が制御部７０に制御されることで、光軸方向に移動可能である。レンズ６３の移動は、例えば、眼屈折力測定が行われる場合に行われる。この場合、レンズ６３の移動によって、雲霧が行われる。
【００２０】
＜電気的構成の説明＞
次に、図３を参照して眼科測定装置１の電気的な構成について説明する。眼科測定装置１は、制御部７０（演算制御部）を有する。制御部７０は、眼科測定装置１における装置全体の制御、および演算処理を行うプロセッサである。本実施形態において、制御部７０は、角膜形状の角膜屈折力分布（角膜曲率分布）と眼全体の眼屈折力分布とをそれぞれ演算する。また、制御部７０は、角膜屈折力分布と眼屈折力分布とから、眼内屈折力分布を演算する。制御部７０は、例えば、ＣＰＵおよびメモリ等の組み合わせからなる。本実施形態において、制御部７０は、光学系を介して取得した被検眼の画像に対する各種の画像処理を行う画像処理部を兼用する。但し、必ずしもこれに限られるものではなく、各種の画像処理を行う回路は、制御部７０とは別体に設けられていても良い。
【００２１】
本実施形態において、制御部７０には、記憶部７１、操作入力部７２、モニタ７５、が電気的に接続される。また、制御部７０には、各種光源（即ち、光源２１、光源４２、および光源６１等）と、各種受光素子（すなわち、受光素子３７、および撮像素子５４等）とが電気的に接続されている。本実施形態では、更に、走査ユニット２１を回転させるための駆動機構２２と、ポリゴンミラー２１ｂを回転させるための駆動機構２１ｃと、受光ユニット３７を回転させるための駆動機構３３ａと、各絞り３２，３４，３５を挿脱するための駆動機構３２ａ，３４ａ，３５ａと、レンズ６３を移動させるための駆動機構６３ａと、の各駆動機構（いずれも図示せず）に対しても、制御部７０は接続される。
【００２２】
本実施形態において、制御部７０には、記憶部７１、操作入力部７２、モニタ７５、が電気的に接続される。また、制御部７０には、各種光源（即ち、光源２１ａ、光源４２、および光源６１等）と、各種受光素子（すなわち、受光素子３７、および撮像素子５４等）とが電気的に接続されている。本実施形態では、更に、走査ユニット２１を測定光軸Ｌ１の周りに回転させるための駆動機構２２と、ポリゴンミラー２１ｂを回転させるための駆動機構２１ｃと、受光ユニット３７を回転させるための駆動機構３３ａと、各絞り３２，３４，３５を挿脱するための駆動機構３２ａ，３４ａ，３５ａと、レンズ６３を移動させるための駆動機構６３ａと、の各駆動機構（いずれも図示せず）に対しても、制御部７０は接続される。
【００２３】
記憶部７１は、各種の制御プログラムおよび固定データを格納する。また、記憶部７１には、眼科測定装置１によって撮影された画像、一時データ等が記憶されてもよい。
【００２４】
制御部７０は、操作入力部７２から出力される操作信号に基づいて、上記の各部材を制御する。操作入力部７２は、検者によって操作される操作部材として、例えば、マウス、キーボード等の操作部材を備える。
【００２５】
モニタ７５は、眼科測定装置１に搭載された（つまり、筐体一体型の）表示モニタであってもよいし、眼科測定装置１とは別体の汎用の表示モニタであってもよい。また、これらが併用された構成であってもよい。モニタ７５は、制御部７０による各種演算結果（例えば、被検眼の屈折および形状に関する解析結果等）を、表示できる。また、モニタ７５は、眼科測定装置１で撮影された画像（例えば、前眼部画像等）を表示できる。
【００２６】
＜装置の動作＞
次に、上記に示した構成を持つ眼科測定装置１の動作を説明する。
【００２７】
＜眼屈折分布の測定＞
次に、眼屈折力分布の測定における装置の動作を説明する。なお、測定に際しては、事前に、光源２１ａの角膜反射輝点を用いて被検眼Ｅと装置とのアライメントが行われてもよい。
【００２８】
まず、本実施形態の眼科測定装置１において、一つの測定経線に対応する角膜部位での眼屈折力を得る手法（ここでは、位相差法による手法）を説明する。測定経線は、ポリゴンミラー２１ｂの回転方向によって定められる。本実施形態では、測定経線の方向は、ポリゴンミラー２１ｂの回転方向となる。
【００２９】
測定において、制御部７０は、受光ユニット３７における受光素子３７ａ〜３７ｐの配置方向を、測定経線の方向（つまり、ポリゴンミラー２１ｂの回転方向）と一致させる。そのうえで、制御部７０は、光源２１ａから測定光を出射すると共に、第２の回転軸を中心にポリゴンミラー２１ｂを回転させる。その結果、測定光が、被検眼Ｅの眼底上で走査される。そして、その反射光が受光ユニット３７によって受光される。
【００３０】
このようにして測定光を受光した受光ユニット３７の受光結果に基づいて、制御部７０は、一つの測定経線に対応する角膜部位での眼屈折力を求める。まず、測定経線に対して直交する方向に配置される受光素子３７ｑと３７ｒの出力信号の位相差から、受光素子３７ａ〜３７ｐが位置する経線方向の角膜中心（又は、視軸中心）が求められる。そして、各受光素子３７ａ〜３７ｐにおける角膜相当位置と角膜中心との位相差を得ることによって、各受光素子３７ａ〜３７ｐに対応する角膜部位での屈折力がそれぞれ求められる（信号処理のより詳細については、例えば、特開平１０−１０８８３７号を参照されたい。）
ここで、第２の回転軸に対してポリゴンミラー２１ｂを回転させた場合における各受光素子３７ａ〜３７ｒにおける出力信号の波形を、図４のグラフによって示す。図４のグラフにおいて、横軸は、ポリゴンミラー２１ｂの回転角度である。ポリゴンミラー２１ｂが等速で回転する場合、時間に換算することが可能である。また、縦軸は、出力信号の強度を示す。図４のグラフにおいて示した信号強度は、発明者が、光学系の設計値を適宜設定して行った、シミュレーションによって求めた値である。
【００３１】
上記に概要を示した位相差法で屈折力を測定する場合において、各々の出力信号において、位相の基準（つまり、出力タイミングの基準）を定める必要がある。例えば、出力信号が最大になるタイミング（あるいは、ポリゴンミラー２１ｂの回転角度等）を、位相の基準とすることができる。位相の基準が適正であれば、良好な測定精度を実現できる。ここで、図４に示すように、本実施形態の測定手法で得られる出力信号の波形は、ピーク付近の曲がり方が比較的なだらかであり、場合によっては、ピークが平坦につぶれてしまう場合がある。よって、仮に、波形において強度が最も高くなっている箇所を位相の基準とした場合には、位相差を精度よく得られず、結果として、屈折力の測定精度が十分に得られない場合が考えられる。
【００３２】
これに対し、本実施形態では、出力信号の最大強度に対して所定の割合の信号強度が出力されたタイミングを２つ求め、その中点を、該出力信号における位相の基準として利用する。この手法によれば、たとえピークがつぶれた出力信号であっても、より適正に位相の基準を設定できる。よって、良好な測定精度を実現できる。
【００３３】
図５（ａ）に、異なる度数の軸性屈折異常模型眼（２２Ｄ，１８Ｄ，６Ｄ，０Ｄ，マイナス４Ｄ，マイナス２２Ｄ）に対する位相のシミュレーション値を示す。但し、図５（ａ）のグラフでは、対になる２つの受光素子（より詳細には、３７ｄと３７ｌ）からの信号の位相値であって、０Ｄの位相値でオフセットした値を示している。また、図５（ａ）は、正視眼における眼底共役位置に絞り３４を配置した場合の信号を示している。図５（ｂ）は、プラス７Ｄの近視眼における眼底共役位置に絞り３２を配置した場合の信号を示している。
【００３４】
図５（ａ）に示すシミュレーション結果によれば、受光素子３７ｄからの信号の位相値は、あるディオプトリにおける位相値（図５（ａ）では、およそ０Ｄ）を境にして、折り返すことが確認された。その結果、位相値に対して、眼屈折力を一義的に定めることが困難になる。例えば、受光素子３７ｌからの信号の位相値として、プラス２ｄｅｇが得られる場合、図５（ａ）のグラフによれば、屈折力としては、およそマイナス４Ｄの値と、およそプラス６Ｄの値との両方が得られることになる。
【００３５】
これに対し、本実施形態では、受光光軸Ｌ２上に配置される絞りの位置を第１の位置に配置して位相差出力を得た後、第１の位置とは異なる第２の位置に絞りを配置して位相差出力を得、位相差出力の変化に基づいて、眼屈折力の値を定める。例えば、上記のように、第１の位置として正視眼の眼底共役位置に絞りを配置して屈折力を測定した場合は、第２の位置としてプラス７Ｄの位置に絞り３２を配置して屈折力を測定してもよい。この場合、図５（ｂ）に示すように、図５（ａ）のグラフを右側にシフトさせたようなグラフが得られる。つまり、約マイナス４Ｄと対応する受光素子３７ｄおよび受光素子３７ｌからの出力信号の位相差（矢印Ａにて示す差）は、図５（ａ）に対して図５（ｂ）では増大している。一方、約６Ｄと対応する受光素子３７ｄおよび受光素子３７ｌからの出力信号の位相差（矢印Ｂにて示す差）は、図５（ａ）に対して図５（ｂ）では減少している。よって、約マイナス４Ｄが屈折力の真値であれば、絞りの配置を上記のように変化させることによって、位相差は増大する。一方、約プラス６Ｄが屈折力の真値であれば、絞りの配置を上記のように変化させることによって、位相差は減少する。従って、絞りの配置の変化に伴う位相差の変化に基づいて、制御部７０は、屈折力の真値を判別することができる。なお、第２の位置として、マイナス６Ｄの位置に絞り３５を配置しても良い。この場合、位相のグラフは、図５（ａ）を左側にシフトさせたようなグラフが得られる。そして、約マイナス４Ｄと対応する受光素子３７ｄおよび受光素子３７ｌからの出力信号の位相差は、図５（ａ）に対して減少し、約６Ｄと対応する位相差は、図５（ａ）に対して増加する。
【００３６】
以上のようにして、一つの測定経線に対応する角膜部位での眼屈折力が得られる。そこで、制御部７０は、走査ユニット２１と受光ユニット３７とを測定光軸周りに、例えば、１度ステップで回転させつつ、各ステップ位置にて上記のような眼屈折力測定を行う。ここで、ステップ位置とは、各ステップと対応する走査ユニット２１の回転位置であって、測定光軸Ｌ１に対する位置である。なお、測定光軸Ｌ１周りに１度分（つまり、１ステップ分）だけステップ位置が変更された後、１つの測定経線での測定が行われる。但し、必ずしもこれに限られるものではない。例えば、測定光軸Ｌ１周りに１度分の回動を行っている間に、ポリゴンミラー２１ｂを少なくとも一走査分駆動することで、あるステップ位置における測定が行われてもよい。
【００３７】
各ステップ位置にて測定が行われた結果、制御部７０は、各回転ステップと対応する測定経線毎の眼屈折力分布（つまり、角膜各部位での眼屈折力分布）を得ることができる。このような眼屈折力分布が得られた場合、制御部７０は、例えば、直径３ｍｍでの各経線方向の眼屈折力に所定の処理を施すことにより、球面度数Ｓ、乱視度数Ｃ、乱視軸角度Ａを求めることができる。なお、眼屈折力分布（および、球面度数Ｓ、乱視度数Ｃ、乱視軸角度Ａ）は、角膜から網膜までを一つの光学系と考えた場合の眼全体における、正視眼に対する屈折誤差の値として得られる。
【００３８】
以上の通り、本実施形態の眼科測定装置１によれば、走査ユニット２１を、ポリゴンミラー２１ｂ等の光スキャナー、光源２１ａ、およびその駆動機構２１ｂ，２２を用いて比較的省スペースで構成できるため、眼科測定装置１において、走査ユニット２１の動作のために必要とされるスペースが抑制される。従って、コンパクトで、良好な測定精度の装置を実現することができる。また、走査ユニット２１およびその動作のためのスペースが抑制されることは、筐体内に、被検眼に関する測定であって、眼屈折力測定とは異なる測定を行うための光学系を組み込むうえでも有利である（例えば、眼軸長測定光学系、断層画像の撮影に用いる干渉光学系、前眼部撮影光学系、眼底撮影光学系、等）。
【００３９】
＜角膜形状の測定＞
次に、角膜形状測定について説明する。なお、測定に際しては、光源２１ａの角膜反射輝点を用いて被検眼Ｅと装置とのアライメントが事前に行われてもよい。制御部７０は、光源４２を点灯することによって、角膜にプラチドリングを投影する。制御部７０は、撮像素子５４によってプラチドリング像を撮像する。そして、得られた画像を画像処理することによって、角膜形状測定データを求める。角膜形状測定データとして、例えば、角膜中心（光源２１ａによる輝点）を基準にした角膜曲率分布（例えば、角膜中心を基準とし、１度ステップごとの角膜曲率を示す分布等）を得ることができる。
【００４０】
なお、角膜曲率分布のデータは、周知の処理により角膜屈折力分布のデータに変換することが可能である。そして、例えば、角膜屈折力分布のデータと、眼屈折力分布のデータとから、角膜後面から網膜までの眼内の屈折力である眼内屈折力分布を演算することも可能である。制御部７０は、以上のようにして得られた眼屈折分布、角膜屈折力分布、および眼内屈折力分布のいずれか、またはその２つ以上を、マップとしてモニタ７５に表示してもよい。
【００４１】
以上、実施形態に基づいて説明を行ったが、上記実施形態は、当業者が通常有する知識に基づいて適宜変形可能である。
【００４２】
例えば、上記実施形態において、走査ユニット２１には、光スキャナーとしてポリゴンミラー２１ｂが設けられる場合について説明したが、必ずしもこれに限られるものではなく、各種の光スキャナーを採用することができる。より詳細には、光源２１ａから出射される測定光を反射または回折させて測定光の進行方向を変化させる光スキャナーであってもよい。この場合、例えば、ガルバノミラー、レゾナントスキャナーなどの反射型の光スキャナーであっても良いし、音響光学素子（ＡＯＭ）等の回折型の光スキャナーであってもよい。
【００４３】
また、上記実施形態では、予め定められた位置に配置される複数の受光素子３７ａ〜３７ｒからの位相差信号出力に基づいて眼屈折力を得る場合について説明したが、必ずしもこれに限られるものではない。例えば、複数の受光素子３７ａ〜３７ｒに代えて、２次元受光素子（具体例としては、２次元ＣＣＤ等）を利用してもよい。この場合、２次元受光素子の受光面にて角膜の各部位と対応する位置が予め定められていれば、各位置における受光信号の位相差として、位相差信号出力を得ることができる。この場合、２次元受光素子から出力される信号が、角膜におけるどの部位と対応するかを、制御部７０が識別できるように、２次元受光素子における角膜の各部位と対応する位置に関する情報が、記憶部７１に記憶されている構成であってもよい。
【００４４】
また、受光ユニットにおいて２次元受光素子を設けた場合は、必ずしも、眼屈折力測定の際に、走査ユニット２１と共に受光ユニット３７を回転させる必要はない。２次元受光素子における角膜の各部位と対応する位置の座標を、走査ユニット２１の光軸Ｌ１周りの回転と同期して変更（回転）させるようにしてもよい。
【００４５】
また、走査ユニット２１から被検眼Ｅに向けて投光される測定光は、スリット光であってもよい。この場合、例えば、ラインＬＥＤを光源２１ａとしてスリット光を形成してもよい。また、光源２１ａとポリゴンミラー２１ｂとの間に、スリット板を配置することによって、スリット光を形成してもよい。なお、これらの場合、スリットの長手方向の向きは、ポリゴンミラー２１ｂの走査方向と交差（例えば、直交）した向きとするとよい。
【符号の説明】
【００４６】
２０      投影光学系
２１      走査ユニット
２１ｂ    ポリゴンミラー
２２      駆動機構
３０      受光光学系
３７      受光ユニット
３７ａ〜３７ｒ  受光素子
３８      駆動機構
７０      制御部
【図１】
2016140390.tif 000003
【図２】
2016140390.tif 000004
【図３】
2016140390.tif 000005
【図４】
2016140390.tif 000006
【図５】
2016140390.tif 000007